(57)【要約】【課題】無線通信システムにおけるＬＴＥ、即ちＥ−ＵＴＲＡＮとＮＲとの間の二重連結であるＥＮ−ＤＣをサポートするための方法が提供される。【解決手段】第１のＲＡＮノードは第１のＲＡＮノードがＥＮ−ＤＣ（Ｅ−ＵＴＲＡＮ−ＮＲ  ｄｕａｌ  ｃｏｎｎｅｃｔｉｖｉｔｙ）をサポートすることを指示する第１指示を含むＸ２設定要請メッセージを第２のＲＡＮノードに送信し、及び第２のＲＡＮノードがＥＮ−ＤＣをサポートすることを指示する第２指示を含むＸ２設定応答メッセージを第２のＲＡＮノードから受信する。【選択図】図９
2020504544.tif 000002
【特許請求の範囲】
【請求項１】
無線通信システムにおける第１のＲＡＮ（ｒａｄｉｏ  ａｃｃｅｓｓ  ｎｅｔｗｏｒｋ）ノードによるＸ２設定手続きを行う方法において、
前記第１のＲＡＮノードがＥ−ＵＴＲＡＮ（ｅｖｏｌｖｅｄ−ＵＭＴＳ  ｔｅｒｒｅｓｔｒｉａｌ  ｒａｄｉｏ  ａｃｃｅｓｓ）−ＮＲ（ｎｅｗ  ｒａｄｉｏ  ａｃｃｅｓｓ  ｔｅｃｈｎｏｌｏｇｙ）二重連結（ＥＮ−ＤＣ；Ｅ−ＵＴＲＡＮ−ＮＲ  ｄｕａｌ  ｃｏｎｎｅｃｔｉｖｉｔｙ）をサポートすることを指示する第１指示を含むＸ２設定要請メッセージを第２のＲＡＮノードに送信するステップと、
前記第２のＲＡＮノードが前記ＥＮ−ＤＣをサポートすることを指示する第２指示を含むＸ２設定応答メッセージを前記第２のＲＡＮノードから受信するステップと、を含む、方法。
【請求項２】
前記第１のＲＡＮノードはｅＮＢ（ｅＮｏｄｅＢ）であり、
前記第２のＲＡＮノードはｇＮＢである、請求項１に記載の方法。
【請求項３】
前記第１指示はグローバルｅＮＢ  ＩＤ（ｉｄｅｎｔｉｆｉｅｒ）に対応し、
前記第２指示はグローバルｇＮＢ  ＩＤに対応する、請求項２に記載の方法。
【請求項４】
前記第１のＲＡＮノードはｇＮＢであり、
前記第２のＲＡＮノードはｅＮＢである、請求項１に記載の方法。
【請求項５】
前記第１指示はグローバルｇＮＢ  ＩＤに対応し、
前記第２指示はグローバルｅＮＢ  ＩＤに対応する、請求項４に記載の方法。
【請求項６】
前記Ｘ２設定要請メッセージはＥＮ−ＤＣ  Ｘ２設定要請メッセージであり、
前記Ｘ２設定応答メッセージはＥＮ−ＤＣ  Ｘ２設定応答メッセージである、請求項１に記載の方法。
【請求項７】
前記第２指示に基づいて前記ＥＮ−ＤＣと関連した二重連結手続きをトリガーするステップをさらに含む、請求項１に記載の方法。
【請求項８】
無線通信システムにおける第１のＲＡＮ（ｒａｄｉｏ  ａｃｃｅｓｓ  ｎｅｔｗｏｒｋ）ノードにおいて、
メモリと、
前記メモリと連結されるプロセッサと、を含み、
前記プロセッサは、
前記第１のＲＡＮノードがＥ−ＵＴＲＡＮ（ｅｖｏｌｖｅｄ−ＵＭＴＳ  ｔｅｒｒｅｓｔｒｉａｌ  ｒａｄｉｏ  ａｃｃｅｓｓ  ）−ＮＲ（ｎｅｗ  ｒａｄｉｏ  ａｃｃｅｓｓ  ｔｅｃｈｎｏｌｏｇｙ）二重連結（ＥＮ−ＤＣ；Ｅ−ＵＴＲＡＮ−ＮＲ  ｄｕａｌ  ｃｏｎｎｅｃｔｉｖｉｔｙ）をサポートすることを指示する第１指示を含むＸ２設定要請メッセージを第２のＲＡＮノードに送信し、及び
前記第２のＲＡＮノードが前記ＥＮ−ＤＣをサポートすることを指示する第２指示を含むＸ２設定応答メッセージを前記第２のＲＡＮノードから受信することを特徴とする、第１のＲＡＮノード。
【請求項９】
前記第１のＲＡＮノードはｅＮＢ（ｅＮｏｄｅＢ）であり、
前記第２のＲＡＮノードはｇＮＢである、請求項８に記載の第１のＲＡＮノード。
【請求項１０】
前記第１指示はグローバルｅＮＢ  ＩＤ（ｉｄｅｎｔｉｆｉｅｒ）に対応し、
前記第２指示はグローバルｇＮＢ  ＩＤに対応する、請求項９に記載の第１のＲＡＮノード。
【請求項１１】
前記第１のＲＡＮノードはｇＮＢであり、
前記第２のＲＡＮノードはｅＮＢである、請求項８に記載の第１のＲＡＮノード。
【請求項１２】
前記第１指示はグローバルｇＮＢ  ＩＤに対応し、
前記第２指示はグローバルｅＮＢ  ＩＤに対応する、請求項１１に記載の第１のＲＡＮノード。
【請求項１３】
前記Ｘ２設定要請メッセージはＥＮ−ＤＣ  Ｘ２設定要請メッセージであり、
前記Ｘ２設定応答メッセージはＥＮ−ＤＣ  Ｘ２設定応答メッセージである、請求項８に記載の第１のＲＡＮノード。
【請求項１４】
前記プロセッサは前記第２指示に基づいて前記ＥＮ−ＤＣと関連した二重連結手続きをトリガーする、請求項８に記載の第１のＲＡＮノード。
【発明の詳細な説明】
【技術分野】
【０００１】
本発明は無線通信に関し、より詳しくは、無線通信システムのうち、３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ−ｔｅｒｍ  ｅｖｏｌｕｔｉｏｎ）と ＮＲ（ｎｅｗ  ｒａｄｉｏ  ａｃｃｅｓｓ  ｔｅｃｈｎｏｌｏｇｙ） のインターワーキングをサポートするためのインターフェースを管理する方法及び装置に関する。
【背景技術】
【０００２】
３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ−ｔｅｒｍ  ｅｖｏｌｕｔｉｏｎ）は、高速パケット通信を可能とするための技術である。ＬＴＥ目標であるユーザと事業者の費用節減、サービス品質向上、カバレッジ拡張及びシステム容量増大のために多くの方式が提案された。３ＧＰＰ  ＬＴＥは、上位レベル必要条件として、ビット当たり費用節減、サービス有用性向上、周波数バンドの柔軟な使用、簡単な構造、開放型インターフェース及び端末の適切な電力消費を要求する。
【０００３】
ＩＴＵ（ｉｎｔｅｒｎａｔｉｏｎａｌ  ｔｅｌｅｃｏｍｍｕｎｉｃａｔｉｏｎ  ｕｎｉｏｎ）及び３ＧＰＰでＮＲ（ｎｅｗ  ｒａｄｉｏ  ａｃｃｅｓｓ  ｔｅｃｈｎｏｌｏｇｙ）システムに対する要求事項及び仕様を開発する作業が始まった。ＮＲシステムは、ｎｅｗ  ＲＡＴなどの他の名称で呼ばれることもある。３ＧＰＰは、緊急な市場の要求とＩＴＵ−Ｒ（ＩＴＵ  ｒａｄｉｏ  ｃｏｍｍｕｎｉｃａｔｉｏｎ  ｓｅｃｔｏｒ）ＩＭＴ（ｉｎｔｅｒｎａｔｉｏｎａｌ  ｍｏｂｉｌｅ  ｔｅｌｅｃｏｍｍｕｎｉｃａｔｉｏｎｓ）−２０２０プロセスが提示するより長期的な要求事項を全て適時に満たすＮＲを成功的に標準化するために必要な技術構成要素を識別して開発しなければならない。また、ＮＲは、遠い未来にも無線通信のために利用されることができる少なくとも１００ＧＨｚに達する任意のスペクトラム帯域が使用可能でなければならない。
【０００４】
ＮＲは、ｅＭＢＢ（ｅｎｈａｎｃｅｄ  ｍｏｂｉｌｅ  ｂｒｏａｄｂａｎｄ）、ｍＭＴＣ（ｍａｓｓｉｖｅ  ｍａｃｈｉｎｅ−ｔｙｐｅ−ｃｏｍｍｕｎｉｃａｔｉｏｎｓ）、ＵＲＬＬＣ（ｕｌｔｒａ−ｒｅｌｉａｂｌｅ  ａｎｄ  ｌｏｗ  ｌａｔｅｎｃｙ  ｃｏｍｍｕｎｉｃａｔｉｏｎｓ）などを含む全ての配置シナリオ、使用シナリオ、要求事項を扱う単一技術フレームワークを対象とする。ＮＲは、本質的に順方向互換性があるべきである。
【０００５】
ＮＲを含む５Ｇコアネットワーク及び５Ｇ  ＲＡＮ（ｒａｄｉｏ  ａｃｃｅｓｓ  ｎｅｔｗｏｒｋ）のための新たなアーキテクチャによって、端末（ＵＥ；ｕｓｅｒ  ｅｑｕｉｐｍｅｎｔ）が処理量（ｔｈｒｏｕｇｈｐｕｔ）及びＵＥ経験の面でよりよくサービスできる。また、ＬＴＥ／ＮＲの堅いインターワーキング（ｔｉｇｈｔ  ｉｎｔｅｒｗｏｒｋｉｎｇ）も議論中である。ＬＴＥ／ＮＲの堅いインターワーキングによってＵＥの処理量を向上させることができる二重／多重連結が使われることができ、またＵＥ移動性のためのシグナリングが単純化できる。
【０００６】
ＬＴＥ／ＮＲの堅いインターワーキングをより効率よくサポートするための方法が要求できる。
【発明の概要】
【発明が解決しようとする課題】
【０００７】
本発明は無線通信システムのうち、３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ−ｔｅｒｍ  ｅｖｏｌｕｔｉｏｎ）とＮＲ（ｎｅｗ  ｒａｄｉｏ  ａｃｃｅｓｓ  ｔｅｃｈｎｏｌｏｇｙ）のインターワーキングをサポートするためのインターフェースを管理する方法及び装置を提供する。本発明は５Ｇ  ＲＡＮ（ｒａｄｉｏ  ａｃｃｅｓｓ  ｎｅｔｗｏｒｋ）アーキテクチャで二重／多重接続のための向上したセル特定手続きを提供する。
【課題を解決するための手段】
【０００８】
一態様において、無線通信システムにおける第１のＲＡＮ（ｒａｄｉｏ  ａｃｃｅｓｓ  ｎｅｔｗｏｒｋ）ノードによるＸ２設定手続きを行う方法が提供される。前記方法は前記第１のＲＡＮノードがＥ−ＵＴＲＡＮ（ｅｖｏｌｖｅｄ−ＵＭＴＳ  ｔｅｒｒｅｓｔｒｉａｌ  ｒａｄｉｏ  ａｃｃｅｓｓ  ）−ＮＲ（ｎｅｗ  ｒａｄｉｏ  ａｃｃｅｓｓ  ｔｅｃｈｎｏｌｏｇｙ）二重連結（ＥＮ−ＤＣ；Ｅ−ＵＴＲＡＮ−ＮＲ  ｄｕａｌ  ｃｏｎｎｅｃｔｉｖｉｔｙ）をサポートすることを指示する第１指示を含むＸ２設定要請メッセージを第２ＲＡＮノードに送信し、及び前記第２のＲＡＮノードが前記ＥＮ−ＤＣをサポートすることを指示する第２指示を含むＸ２設定応答メッセージを前記第２ＲＡＮノードから受信することを含む。
【０００９】
他の態様において、無線通信システムにおける第１のＲＡＮ（ｒａｄｉｏ  ａｃｃｅｓｓ  ｎｅｔｗｏｒｋ）ノードが提供される。前記第１のＲＡＮノードはメモリ、及び前記メモリと連結されるプロセッサを含む。前記プロセッサは前記第１のＲＡＮノードがＥ−ＵＴＲＡＮ（ｅｖｏｌｖｅｄ−ＵＭＴＳ  ｔｅｒｒｅｓｔｒｉａｌ  ｒａｄｉｏ  ａｃｃｅｓｓ）−ＮＲ（ｎｅｗ  ｒａｄｉｏ  ａｃｃｅｓｓ  ｔｅｃｈｎｏｌｏｇｙ）二重連結（ＥＮ−ＤＣ；Ｅ−ＵＴＲＡＮ−ＮＲ  ｄｕａｌ  ｃｏｎｎｅｃｔｉｖｉｔｙ）をサポートすることを指示する第１指示を含むＸ２設定要請メッセージを第２ＲＡＮノードに送信し、及び前記第２のＲＡＮノードが前記ＥＮ−ＤＣをサポートすることを指示する第２指示を含むＸ２設定応答メッセージを前記第２のＲＡＮノードから受信することを特徴とする。
【００１０】
前記第１のＲＡＮノードはｅＮＢ（ｅＮｏｄｅＢ）であり、前記第２のＲＡＮノードはｇＮＢでありうる。前記第１指示はグローバルｅＮＢ  ＩＤ（ｉｄｅｎｔｉｆｉｅｒ）に対応し、前記第２指示はグローバルｇＮＢ  ＩＤに対応することができる。
【００１１】
または、前記第１のＲＡＮノードはｇＮＢであり、前記第２のＲＡＮノードはｅＮＢでありうる。前記第１指示はグローバルｇＮＢ  ＩＤに対応し、前記第２指示はグローバルｅＮＢ  ＩＤに対応することができる。
【００１２】
前記Ｘ２設定要請メッセージはＥＮ−ＤＣ  Ｘ２設定要請メッセージであり、前記Ｘ２設定応答メッセージはＥＮ−ＤＣ  Ｘ２設定応答メッセージでありうる。
【００１３】
前記第１のＲＡＮノードは前記第２指示に基づいて前記ＥＮ−ＤＣと関連した二重連結手続きをトリガーすることができる。
【発明の効果】
【００１４】
ＬＴＥ／ＮＲの堅いインターワーキングがより効率よくサポートできる。
【図面の簡単な説明】
【００１５】
【図１】３ＧＰＰ  ＬＴＥシステムの構造を示す。
【図２】ＮＧ−ＲＡＮアーキテクチャを示す。
【図３】ＥＮ−ＤＣアーキテクチャを示す。
【図４】ＬＴＥ／ＮＲの堅いインターワーキングのための配置シナリオのオプション３／３ａを示す。
【図５】ＬＴＥ／ＮＲの堅いインターワーキングのための配置シナリオのオプション４／４ａを示す。
【図６】ＬＴＥ／ＮＲの堅いインターワーキングのための配置シナリオのオプション７／７ａを示す。
【図７】本発明の一実施形態に従うＲＡＮインターフェース設定手続きを示す。
【図８】本発明の更に他の実施形態に従うＲＡＮインターフェース設定手続きを示す。
【図９】本発明の一実施形態によって第１のＲＡＮノードがＸ２設定手続きを行う方法を示す。
【図１０】本発明の更に他の実施形態に従うＲＡＮインターフェース設定手続きを示す。
【図１１】本発明の更に他の実施形態に従うＲＡＮインターフェース設定手続きを示す。
【図１２】本発明の実施形態が具現される無線通信システムを示す。
【発明を実施するための形態】
【００１６】
以下、本発明は３ＧＰＰ（３ｒｄ  ｇｅｎｅｒａｔｉｏｎ  ｐａｒｔｎｅｒｓｈｉｐ  ｐｒｏｊｅｃｔ）またはＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）基盤の無線通信システムを中心として説明される。しかしながら、本発明はこれに制限されず、本発明は以下で説明する同一な特徴を有する他の無線通信システムにも適用できる。
【００１７】
図１は、３ＧＰＰ  ＬＴＥシステムの構造を示す。図１を参照すると、３ＧＰＰ  ＬＴＥ（ｌｏｎｇ−ｔｅｒｍ  ｅｖｏｌｕｔｉｏｎ）システム構造は、一つ以上のユーザ端末（ＵＥ；ｕｓｅｒ  ｅｑｕｉｐｍｅｎｔ）１０、Ｅ−ＵＴＲＡＮ（ｅｖｏｌｖｅｄ−ＵＭＴＳ  ｔｅｒｒｅｓｔｒｉａｌ  ｒａｄｉｏ  ａｃｃｅｓｓ  ｎｅｔｗｏｒｋ）及びＥＰＣ（ｅｖｏｌｖｅｄ  ｐａｃｋｅｔ  ｃｏｒｅ）を含む。ＵＥ１０は、ユーザにより動く通信装置である。ＵＥ１０は、固定されてもよいし、移動性を有してもよく、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）等、他の用語で呼ばれることもある。
【００１８】
Ｅ−ＵＴＲＡＮは、一つ以上のｅＮＢ（ｅｖｏｌｖｅｄ  ＮｏｄｅＢ）２０を含み、一つのセルに複数のＵＥが存在できる。ｅＮＢ２０は、制御平面（ｃｏｎｔｒｏｌ  ｐｌａｎｅ）とユーザ平面（ｕｓｅｒ  ｐｌａｎｅ）の終端点をＵＥ１０に提供する。ｅＮＢ２０は、一般的にＵＥ１０と通信する固定局（ｆｉｘｅｄ  ｓｔａｔｉｏｎ）を意味し、ＢＳ（ｂａｓｅ  ｓｔａｔｉｏｎ）、アクセスポイント（ａｃｃｅｓｓ  ｐｏｉｎｔ）等、他の用語で呼ばれることもある。一つのｅＮＢ２０は、セル毎に配置されることができる。
【００１９】
以下、ダウンリンク（ＤＬ；ｄｏｗｎｌｉｎｋ）は、ｅＮＢ２０からＵＥ１０への通信を意味する。アップリンク（ＵＬ；ｕｐｌｉｎｋ）は、ＵＥ１０からｅＮＢ２０への通信を意味する。サイドリンク（ＳＬ；ｓｉｄｅｌｉｎｋ）は、ＵＥ１０間の通信を意味する。ＤＬにおいて、送信機はｅＮＢ２０の一部であり、受信機はＵＥ１０の一部である。ＵＬにおいて、送信機はＵＥ１０の一部であり、受信機はｅＮＢ２０の一部である。ＳＬにおいて、送信機と受信機はＵＥ１０の一部である。
【００２０】
ＥＰＣは、ＭＭＥ（ｍｏｂｉｌｉｔｙ  ｍａｎａｇｅｍｅｎｔ  ｅｎｔｉｔｙ）とＳ−ＧＷ（ｓｅｒｖｉｎｇ  ｇａｔｅｗａｙ）を含む。ＭＭＥ／Ｓ−ＧＷ３０は、ネットワークの終端に位置する。ＭＭＥ／Ｓ−ＧＷ３０は、ＵＥ１０のためのセッション及び移動性管理機能の終端点を提供する。説明の便宜のために、ＭＭＥ／Ｓ−ＧＷ３０は、“ゲートウェイ”で単純に表現し、これはＭＭＥ及びＳ−ＧＷを両方とも含むことができる。ＰＤＮ（ｐａｃｋｅｔ  ｄａｔａ  ｎｅｔｗｏｒｋ）ゲートウェイ（Ｐ−ＧＷ）は、外部ネットワークと連結されることができる。
【００２１】
ＭＭＥは、ｅＮＢ２０へのＮＡＳ（ｎｏｎ−ａｃｃｅｓｓ  ｓｔｒａｔｕｍ）シグナリング、ＮＡＳシグナリングセキュリティ、ＡＳ（ａｃｃｅｓｓ  ｓｔｒａｔｕｍ）セキュリティ制御、３ＧＰＰアクセスネットワーク間の移動性のためのｉｎｔｅｒ  ＣＮ（ｃｏｒｅ  ｎｅｔｗｏｒｋ）ノードシグナリング、アイドルモード端末到達可能性（ページング再送信の制御及び実行を含む）、トラッキング領域リスト管理（アイドルモード及び活性化モードであるＵＥのために）、Ｐ−ＧＷ及びＳ−ＧＷ選択、ＭＭＥ変更と共にハンドオーバのためのＭＭＥ選択、２Ｇまたは３Ｇ  ３ＧＰＰアクセスネットワークへのハンドオーバのためのＳＧＳＮ（ｓｅｒｖｉｎｇ  ＧＰＲＳ  ｓｕｐｐｏｒｔ  ｎｏｄｅ）選択、ローミング、認証、専用ベアラ設定を含むベアラ管理機能、ＰＷＳ（ｐｕｂｌｉｃ  ｗａｒｎｉｎｇ  ｓｙｓｔｅｍ：ＥＴＷＳ（ｅａｒｔｈｑｕａｋｅ  ａｎｄ  ｔｓｕｎａｍｉ  ｗａｒｎｉｎｇ  ｓｙｓｔｅｍ）及びＣＭＡＳ（ｃｏｍｍｅｒｃｉａｌ  ｍｏｂｉｌｅ  ａｌｅｒｔ  ｓｙｓｔｅｍ）を含む）メッセージ送信サポートなどの多様な機能を提供する。Ｓ−ＧＷホストは、ユーザ別ベースのパケットフィルタリング（例えば、深層パケット検査を介して）、合法的遮断、端末ＩＰ（ｉｎｔｅｒｎｅｔ  ｐｒｏｔｏｃｏｌ）アドレス割当、ＤＬで送信レベルパッキングマーキング、ＵＬ／ＤＬサービスレベル課金、ゲーティング及び等級強制、ＡＰＮ−ＡＭＢＲ（ａｃｃｅｓｓ  ｐｏｉｎｔ  ｎａｍｅ  ａｇｇｒｅｇａｔｅ  ｍａｘｉｍｕｍ  ｂｉｔ  ｒａｔｅ）に基づくＤＬ等級強制の各種機能を提供する。
【００２２】
ユーザトラフィック送信または制御トラフィック送信のためのインターフェースが使われることができる。ＵＥ１０とｅＮＢ２０は、Ｕｕインターフェースにより連結される。ＵＥ１０間は、ＰＣ５インターフェースにより連結される。ｅＮＢ２０間は、Ｘ２インターフェースにより連結される。隣接するｅＮＢ２０は、Ｘ２インターフェースによる網型ネットワーク構造を有することができる。ｅＮＢ２０とゲートウェイ３０は、Ｓ１インターフェースを介して連結される。
【００２３】
５Ｇシステムは、５Ｇ  ＡＮ（ａｃｃｅｓｓ  ｎｅｔｗｏｒｋ）、５Ｇ  ＣＮ（ｃｏｒｅ  ｎｅｔｗｏｒｋ）及びＵＥで構成された３ＧＰＰシステムである。５Ｇ  ＡＮは、５Ｇ  ＣＮに連結される非３ＧＰＰ接続ネットワーク及び／またはＮＧ−ＲＡＮ（ｎｅｗ  ｇｅｎｅｒａｔｉｏｎ  ｒａｄｉｏ  ａｃｃｅｓｓ  ｎｅｔｗｏｒｋ）を含む接続ネットワークである。ＮＧ−ＲＡＮは、５Ｇ  ＣＮに連結されるという共通特性を有し、下記のオプションのうち一つ以上をサポートする無線接続ネットワークである。
【００２４】
１）独立型ＮＲ（ｎｅｗ  ｒａｄｉｏ）。
【００２５】
２）ＮＲは、Ｅ−ＵＴＲＡ拡張を有するアンカーである。
【００２６】
３）独立型Ｅ−ＵＴＲＡ。
【００２７】
４）Ｅ−ＵＴＲＡは、ＮＲ拡張を有するアンカーである。
【００２８】
図２は、ＮＧ−ＲＡＮアーキテクチャを示す。図２を参照すると、ＮＧ−ＲＡＮは一つ以上のＮＧ−ＲＡＮノードを含む。ＮＧ−ＲＡＮノードは一つ以上のｇＮＢ及び／又は一つ以上のｎｇ−ｅＮＢを含む。ｇＮＢはＵＥに向かってＮＲユーザ平面及び制御平面プロトコル終端を提供する。ＮＧ−ｅＮＢはＵＥに向かってＥ−ＵＴＲＡユーザ平面及び制御平面プロトコル終端を提供する。ｇＮＢとｎｇ−ｅＮＢはＸｎインターフェースを介して相互連結される。ｇＮＢ及びｎｇ−ｅＮＢはＮＧインターフェースを介して５Ｇ  ＣＮに連結される。より具体的に、ｇＮＢ及びｎｇ−ｅＮＢはｎｇ−Ｃインターフェースを介してＡＭＦ（ａｃｃｅｓｓ  ａｎｄ  ｍｏｂｉｌｉｔｙ  ｍａｎａｇｅｍｅｎｔ  ｆｕｎｃｔｉｏｎ）に連結され、ＮＧ−Ｕインターフェースを介してＵＰＦ（ｕｓｅｒ  ｐｌａｎｅ  ｆｕｎｃｔｉｏｎ）に連結される。
【００２９】
ｇＮＢ及びｎｇ−ｅＮＢは、次の機能を提供する。
【００３０】
−  無線資源管理のための機能：無線ベアラ制御、無線許容制御、連結移動制御、アップリンク及びダウンリンクでＵＥに対する資源の動的割当（スケジューリング）；
【００３１】
−  データのＩＰ（Ｉｎｔｅｒｎｅｔ  ｐｒｏｔｏｃｏｌ）ヘッダ圧縮、暗号化、及び無欠性保護；
【００３２】
−  ＵＥにより提供された情報からＡＭＦへのルーティングが決定できない時、ＵＥ付着時のＡＭＦの選択；
【００３３】
−  ＵＰＦに向かってユーザ平面データをルーティング；
【００３４】
−  ＡＭＦに向かって制御平面情報のルーティング；
【００３５】
−  連結設定及び解除；
【００３６】
−  （ＡＭＦから始まる）ページングメッセージのスケジューリング及び送信；
【００３７】
−（ＡＭＦまたはＯ＆Ｍ（ｏｐｅｒａｔｉｏｎｓ  ＆  ｍａｉｎｔｅｎａｎｃｅ）から始まる）システム放送情報のスケジューリング及び送信；
【００３８】
−  移動性及びスケジューリングのための測定及び測定報告構成；
【００３９】
−  アップリンクでの送信レベルパケットマーキング；
【００４０】
−  セッション管理；
【００４１】
−  ネットワークスライシングサポート；
【００４２】
−ＱｏＳ（ｑｕａｌｉｔｙ  ｏｆ  ｓｅｒｖｉｃｅ）流れ管理及びデータ無線ベアラへのマッピング；
【００４３】
−  ＲＲＣ＿ＩＮＡＣＴＩＶＥ状態にいるＵＥのサポート；
【００４４】
−  ＮＡＳ（ｎｏｎ−ａｃｃｅｓｓ  ｓｔｒａｔｕｍ）メッセージの配布機能；
【００４５】
−  無線接続ネットワーク共有；
【００４６】
−  二重連結；
【００４７】
−  ＮＲとＥ−ＵＴＲＡとの間の緊密な連動。
【００４８】
ＡＭＦは次の主要機能を提供する。
【００４９】
−  ＮＡＳ信号終端；
【００５０】
−  ＮＡＳ信号セキュリティ；
【００５１】
−  ＡＳセキュリティ統制；
【００５２】
−  ３ＧＰＰアクセスネットワークの間の移動性のためのインターＣＮノードシグナリング；
【００５３】
−  アイドルモードＵＥ到達可能性（ページング再送信の制御及び実行含み）；
【００５４】
−  登録領域管理；
【００５５】
−  システム内及びシステム間移動性サポート；
【００５６】
−  アクセス認証；
【００５７】
−  ローミング権限確認を含んだアクセス権限附与；
【００５８】
−  移動性管理制御（加入及び政策）；
【００５９】
−  ネットワークスライシングサポート；
【００６０】
−  ＳＭＦ（ｓｅｓｓｉｏｎ  ｍａｎａｇｅｍｅｎｔ  ｆｕｎｃｔｉｏｎ）選択。
【００６１】
ＵＰＦは次の主要機能を提供する。
【００６２】
−  イントラ／インター−ＲＡＴ移動性のためのアンカーポイント（適用可能な場合）；
【００６３】
−データネットワークに対する相互連結の外部ＰＤＵ（ｐｒｏｔｏｃｏｌ  ｄａｔａ  ｕｎｉｔ）セッションポイント；
【００６４】
−  パケットルーティング及びフォワーディング；
【００６５】
−  パケット検査及び政策規則執行のユーザ平面部分；
【００６６】
−  トラフィック使用報告；
【００６７】
−  データネットワークにトラフィック流れルーティングをサポートするアップリンク分類；
【００６８】
−  マルチホームＰＤＵセッションをサポートするための地点；
【００６９】
−  ユーザ平面に対するＱｏＳ処理（例えば、パケットフィルタリング、ゲーティング、ＵＬ／ＤＬ料金執行）；
【００７０】
−  アップリンクトラフィック検証（ＳＤＦ（ｓｅｒｖｉｃｅ  ｄａｔａ  ｆｌｏｗ）でＱｏＳ流れマッピング）；
【００７１】
−  ダウンリンクパケットバッファリング及びダウンリンクデータ通知トリガー。
【００７２】
ＳＭＦは次の主要機能を提供する。
【００７３】
−  セッション管理；
【００７４】
−  ＵＥ  ＩＰアドレス割当及び管理；
【００７５】
−  ユーザ平面機能の選択及び制御；
【００７６】
−  トラフィックを適切な対象にルーティングするためにＵＰＦでトラフィック転換構成；
【００７７】
−  政策執行及びＱｏＳの制御平面部分；
【００７８】
−  ダウンリンクデータ通知。
【００７９】
以下、マルチＲＡＴ二重連結（ｍｕｌｔｉ−ＲＡＴ  ｄｕａｌ  ｃｏｎｎｅｃｔｉｖｉｔｙ）に対して説明する。ＮＧ−ＲＡＮは複数のＲＸ／ＴＸを有するＲＲＣ＿ＣＯＮＮＥＣＴＥＤ内のＵＥが２つの別個のスケジューラにより提供された無線資源を用いるように構成されるマルチＲＡＴ二重連結をサポートする。マルチＲＡＴ二重連結はＥ−ＵＴＲＡ二重連結の一般化である。２つの別個のスケジューラは非理想的なバックホールを通じて連結された２つの互いに異なるＮＧ−ＲＡＮノードに位置する。２つの互いに異なるｎｇ−ＲＡＮノードのうちの一つはマスターノード（ＭＮ；ｍａｓｔｅｒ  ｎｏｄｅ）の役割をし、残りの一つはセコンダリーノード（ＳＮ；ｓｅｃｏｎｄａｒｙ  ｎｏｄｅ）の役割をする。即ち、一つのスケジューラはＭＮに位置し、他の一つのスケジューラはＳＮに位置する。２つの互いに異なるＮＧ−ＲＡＮノードはＥ−ＵＴＲＡ接続（ＮＧ−ＲＡＮノードがｎｇ−ｅＮＢの場合）またはＮＲ接続（ＮＧ−ＲＡＮノードがｇＮＢの場合）のうち、いずれか一つを提供する。ｎｇ−ｅＮＢはＵＥに向かってＮＲユーザ平面及び制御平面プロトコル終端を提供し、ＥＮ−ＤＣ（Ｅ−ＵＴＲＡＮ−ＮＲ  ｄｕａｌ  ｃｏｎｎｅｃｔｉｖｉｔｙ）でＳＮとして動作するノードである。Ｎｇ−ｅＮＢはＵＥに向かってＥ−ＵＴＲＡユーザ平面及び制御平面プロトコル終端を提供し、ＮＧインターフェースを介して５ＧＣに連結されるノードである。ＭＮとＳＮはネットワークインターフェースを介して互いに連結され、少なくともＭＮはコアネットワークに連結される。本明細書で、マルチＲＡＴ二重連結は互いに異なるノード間の非理想的なバックホールに基づいて設計されたが、マルチＲＡＴ二重連結は理想的なバックホールの場合にも使われることができる。
【００８０】
図３は、ＥＮ−ＤＣアーキテクチャを示す。Ｅ−ＵＴＲＡＮは、ＵＥがＭＮに動作する一つのｅＮＢ及びＳＮとして動作する一つのｅｎ−ｇＮＢに連結される、ＥＮ−ＤＣを通じてマルチＲＡＴ二重連結をサポートする。ｅＮＢはＳ１インターフェースを介してＥＰＣに連結され、Ｘ２インターフェースを介してｅｎ−ｇＮＢに連結される。ｅｎ−ｇＮＢはＳ１−Ｕインターフェースを介してＥＰＣに連結されることができ、Ｘ２−Ｕインターフェースを介して他のｅｎ−ｇＮＢに連結できる。
【００８１】
また、５Ｇ  ＣＮもマルチＲＡＴ二重連結をサポートする。ＮＧ−ＲＡＮは、ＵＥがＭＮとして動作する一つのＮｇ−ｅＮＢとＳＮとして動作する一つのｇＮＢに連結される、ＮＧ−ＲＡＮ  Ｅ−ＵＴＲＡ−ＮＲ二重連結（ＮＧＥＮ−ＤＣ）をサポートする。ｎｇ−ｅＮＢは５Ｇ  ＣＮに連結され、ｇＮＢはＸｎインターフェースを介してＮｇ−ｅＮＢに連結される。また、ＮＧ−ＲＡＮは、ＵＥがＭＮとして動作する一つのｇＮＢとＳＮとして動作する一つのｎｇ−ｅＮＢに連結される、ＮＲ−Ｅ−ＵＴＲＡ二重連結（ＮＥ−ＤＣ）をサポートする。ｇＮＢは５Ｇ  ＣＮに連結され、Ｎｇ−ｅＮＢはＸｎインターフェースを介してｇＮＢに連結される。
【００８２】
前述したマルチＲＡＴ二重連結及び／又はＬＴＥ／ＮＲの堅い（tight）インターワーキングをサポートするために、ＬＴＥとＮＲの多様な配置シナリオが考慮できる。
【００８３】
図４は、ＬＴＥ／ＮＲの堅いインターワーキングのための配置シナリオのオプション３／３ａを示す。図４を参照すると、オプション３／３ａで、ＬＴＥ  ｅＮＢは非独立型（ｎｏｎ−ｓｔａｎｄａｌｏｎｅ）ＮＲと共にＥＰＣに連結される。即ち、ＮＲ制御平面はＥＰＣに直接連結されず、ＬＴＥ  ｅＮＢを通じて連結される。ＥＰＣへのＮＲユーザ平面連結は、ＬＴＥ  ｅＮＢを通じて連結されるか（オプション３）、またはＳ−１Ｕインターフェースを介して直接連結される（オプション３ａ）。オプション３／３ａは図３で前述したＥＮ−ＤＣアーキテクチャに対応する。
【００８４】
図５は、ＬＴＥ／ＮＲの堅いインターワーキングのための配置シナリオのオプション４／４ａを示す。図５を参照すると、オプション４／４ａで、ｇＮＢは非独立型Ｅ−ＵＴＲＡと共にＮＧＣに連結される。即ち、Ｅ−ＵＴＲＡ制御平面はＮＧＣに直接連結されず、ｇＮＢを通じて連結される。ＮＧＣへのＥ−ＵＴＲＡユーザ平面連結は、ｇＮＢを通じて連結されるか（オプション４）、またはＮＧ−Ｕインターフェースを介して直接連結される（オプション４ａ）。オプション４／４ａは前述したオプション３／３ＡでＥ−ＵＴＲＡとＮＲが互いに反対になった形態に該当する。
【００８５】
図６は、ＬＴＥ／ＮＲの堅いインターワーキングのための配置シナリオのオプション７／７ａを示す。図６を参照すると、オプション７／７ａで、ｅＬＴＥ  ｅＮＢ（即ち、ｎｇ−ｅＮＢ）は非独立型ＮＲと共にＮＧＣに連結される。即ち、ＮＲ制御平面はＮＧＣに直接連結されず、ｅＬＴＥ  ｅＮＢを通じて連結される。ＮＧＣへのＮＲユーザ平面連結は、ｅＬＴＥ  ｅＮＢを通じて連結されるか（オプション７）、またはＮＧ−Ｕインターフェースを介して直接連結される（オプション７ａ）。
【００８６】
前述した多様な配置シナリオオプションによってマルチＲＡＴ二重連結をサポートする方法が議論中である。前述したように、マルチＲＡＴ二重連結動作を行う二つのノード（例えば、ｅＮＢ、ｇＮＢ、ｎｇ−ｅＮＢ、ｅｎ−ｇＮＢ）の間に多くの選択が存在できることが分かる。したがって、前述した多様な配置シナリオオプションのうち、どのオプションを使用するかを決定しなければならないという問題がある。
【００８７】
より具体的に、レガシーＬＴＥ基盤システムではＥＰＳ（ｅｖｏｌｖｅｄ  ｐａｃｋｅｔ  ｓｙｓｔｅｍ）ベアラ／Ｅ−ＲＡＢ（Ｅ−ＵＴＲＡＮ  ｒａｄｉｏ  ａｃｃｅｓｓ  ｂｅａｒｅｒ）及びＱｏＳ（ｑｕａｌｉｔｙ  ｏｆ  ｓｅｒｖｉｃｅ）が使われ、これはデータパケットに対して前述したオプション３／３ａに適用される。オプション３／３ａではコアネットワークがＥＰＣであるためである。しかしながら、オプション４／４ａ及び７／７ａの場合、新しく導入されるフロー概念、フロー−ＱｏＳマッピング規則、ＲＲＣシグナリング、ノード間のＵＥ能力調整などの新たな特徴が採択できる。オプション４／４ａ及び７／７ａでは、コアネットワークがＮＧＣであるためである。したがって、オフローディング手続き（即ち、マルチＲＡＴ二重連結）をトリガーするための手続きがレガシーＬＴＥの二重連結手続きと異なると推定できる。即ち、前述したマルチＲＡＴ二重連結のための多様な配置シナリオオプションによって、ＲＡＮノードが二重連結手続きをトリガーする方法を決定することが容易でないことがある。本発明は前述した問題点に対する解決方法を提案する。
【００８８】
１．第１実施形態
【００８９】
図７は、本発明の一実施形態に従うＲＡＮインターフェース設定手続きを示す。本実施形態で、ＲＡＮノード１はｅＮＢであり、ＲＡＮノード２はｇＮＢであると仮定する。しかしながら、これは例示に過ぎず、ＲＡＮノード１及びＲＡＮノード２はｅＮＢ、ｇＮＢ、ｎｇ−ｅＮＢ、ｅｎ−ｇＮＢのうち、いずれか一つでありうる。また、本実施形態でＲＡＮノード１とＲＡＮノード２のＲＡＮインターフェースはＸ２インターフェースであると仮定する。しかしながら、これもまた例示に過ぎず、ＲＡＮノード１とＲＡＮノード２のＲＡＮインターフェースは他の多様な名称で呼ばれることがある（例えば、Ｘｎインターフェース）。本実施形態で、ＲＡＮインターフェース設定手続きはＲＡＮノード１によってトリガーされる。
【００９０】
ＲＡＮノード１とＲＡＮノード２との間にＲＡＮインターフェースが設定される時、ＲＡＮノード１がＬＴＥ／ＮＲインターワーキングのためのオプション３／３ａアーキテクチャをサポートする場合、ＲＡＮノード１は対象ノードやはりＬＴＥ／ＮＲインターワーキングのためのオプション３／３ａアーキテクチャをサポートするか否かを知りたがることがある。対象ノードがＬＴＥ／ＮＲインターワーキングのためのオプション３／３ａアーキテクチャをサポートするか否かによって二重連結手続きをトリガーするメッセージが異なることがあるためである。
【００９１】
これによって、ステップＳ１００で、ＲＡＮノード１はＲＡＮインターフェース設定要請メッセージをＲＡＮノード２に送信する。ＲＡＮインターフェース設定要請メッセージはＲＡＮノード１がオプション３／３ａをサポートすることを指示する指示を含むことができる。また、ＲＡＮインターフェース設定要請メッセージはＲＡＮインターフェース設定要請メッセージの対象ノード（即ち、ＲＡＮノード２）がオプション３／３ａをサポートするか否かを報告するように要請する指示を含むことができる。また、ＲＡＮインターフェース設定要請メッセージはＲＡＮノード１の向上したｅＮＢ  ＩＤを含むことができる。ＲＡＮノード１の向上したｅＮＢ  ＩＤはＲＡＮノード１のグローバルｅＮＢ  ＩＤでありうる。前記ＲＡＮノード１がオプション３／３ａをサポートすることを指示する指示は、前記ＲＡＮノード１の向上したｅＮＢ  ＩＤまたはＲＡＮノード１のグローバルｅＮＢ  ＩＤにより具現できる。即ち、前記ＲＡＮノード１の向上したｅＮＢ  ＩＤまたはグローバルｅＮＢ  ＩＤは前記ＲＡＮノード１がオプション３／３ａをサポートすることを暗黙的に指示することができる。ＲＡＮインターフェース設定要請メッセージは、Ｘ２インターフェースの既存のメッセージまたは新たなメッセージにより具現されるか、または新たなインターフェースの新たなメッセージにより具現できる。
【００９２】
前記ＲＡＮノード１がオプション３／３ａをサポートすることを指示する指示及び／又は前記ＲＡＮノード１の向上したｅＮＢ  ＩＤ（または、グローバルｅＮＢ  ＩＤ）を含むＲＡＮインターフェース設定要請メッセージを受信したＲＡＮノード２は、前記ＲＡＮノード１がオプション３／３ａをサポートすることを指示する指示及び／又は前記ＲＡＮノード１の向上したｅＮＢ  ＩＤ（または、グローバルｅＮＢ  ＩＤ）をＵＥ特定手続きのために考慮することができる。例えば、ＲＡＮノード２は二重連結手続きまたは多重連結手続きのために前記ＲＡＮノード１がオプション３／３ａをサポートすることを指示する指示及び／又は前記ＲＡＮノード１の向上したｅＮＢ  ＩＤ（または、グローバルｅＮＢ  ＩＤ）を使用することができる。
【００９３】
また、ステップＳ１０２で、ＲＡＮノード２はＲＡＮインターフェース設定応答メッセージをＲＡＮノード１に送信する。前記受信したＲＡＮインターフェース設定要請メッセージがＲＡＮノード２がオプション３／３ａをサポートするか否かを報告するように要請する指示を含めば、前記ＲＡＮインターフェース設定応答メッセージは前記ＲＡＮノード２がオプション３／３ａをサポートすることを指示する指示を含むことができる。前記ＲＡＮノード２がオプション３／３ａをサポートすることを指示する指示は前記ＲＡＮノード２のグローバルｇＮＢ  ＩＤにより具現できる。即ち、前記ＲＡＮノード２のグローバルｇＮＢ  ＩＤは、前記ＲＡＮノード２がオプション３／３ａをサポートすることを暗黙的に指示することができる。ＲＡＮインターフェース設定応答メッセージはＸ２インターフェースの既存のメッセージまたは新たなメッセージにより具現されるか、または新たなインターフェースの新たなメッセージにより具現できる。
【００９４】
前記ＲＡＮノード２がオプション３／３ａをサポートすることを指示する指示及び／又は、前記ＲＡＮノード２のグローバルｇＮＢ  ＩＤを含むＲＡＮインターフェース設定応答メッセージを受信したＲＡＮノード１は、前記ＲＡＮノード２がオプション３／３ａをサポートすることを指示する指示及び／又は前記ＲＡＮノード２のグローバルｇＮＢ  ＩＤに基づいて適切な動作を行うことができる。例えば、前記ＲＡＮノード２がオプション３／３ａをサポートすることを指示する指示及び／又は前記ＲＡＮノード２のグローバルｇＮＢ  ＩＤに基づいてＲＡＮノード１はレガシーＬＴＥ二重連結手続きと区別される新たな二重連結手続きをトリガーすることができる。二重連結手続きの種類によって、ＵＥ能力、フロー−ＤＲＢ（ｄａｔａ  ｒａｄｉｏ  ｂｅａｒｅｒ）マッピング規則などがＳｅＮＢ追加／修正メッセージに含まれなければならないか否かが決定できる。また、ＲＡＮノード１はＳｅＮＢ追加／修正手続き中にＰＤＵセッションに対するＱｏＳ形式を二重連結手続きの種類によって異なるように決定することができる。一方、ステップＳ１０２で受信したＲＡＮインターフェース設定応答メッセージは既存のｅＮＢ  ＩＤを含むことができるが、ＲＡＮノード１はこれを無視することができる。
【００９５】
図８は、本発明の更に他の実施形態に従うＲＡＮインターフェース設定手続きを示す。本実施形態で、ＲＡＮノード１はｅＮＢであり、ＲＡＮノード２はｇＮＢであると仮定する。しかしながら、これは例示に過ぎず、ＲＡＮノード１及びＲＡＮノード２はｅＮＢ、ｇＮＢ、ｎｇ−ｅＮＢ、ｅｎ−ｇＮＢのうち、いずれか一つでありうる。また、本実施形態でＲＡＮノード１とＲＡＮノード２のＲＡＮインターフェースはＸ２インターフェースであると仮定する。しかしながら、これもまた例示に過ぎず、ＲＡＮノード１とＲＡＮノード２のＲＡＮインターフェースは他の多様な名称で呼ばれることがある（例えば、Ｘｎインターフェース）。本実施形態で、ＲＡＮインターフェース設定手続きはＲＡＮノード２によりトリガーされる。
【００９６】
ＲＡＮノード１とＲＡＮノード２との間にＲＡＮインターフェースが設定される時、ＲＡＮノード２がＬＴＥ／ＮＲインターワーキングのためのオプション３／３ａアーキテクチャをサポートする場合、ＲＡＮノード２は対象ノードやはりＬＴＥ／ＮＲインターワーキングのためのオプション３／３ａアーキテクチャをサポートするか否かを知りたがることがある。対象ノードがＬＴＥ／ＮＲインターワーキングのためのオプション３／３ａアーキテクチャをサポートするか否かによって二重連結手続きをトリガーするメッセージが異なることができるためである。
【００９７】
これによって、ステップＳ１１０で、ＲＡＮノード２はＲＡＮインターフェース設定要請メッセージをＲＡＮノード１に送信する。ＲＡＮインターフェース設定要請メッセージはＲＡＮノード２がオプション３／３ａをサポートすることを指示する指示を含むことができる。また、ＲＡＮインターフェース設定要請メッセージはＲＡＮインターフェース設定要請メッセージの対象ノード（即ち、ＲＡＮノード１）がオプション３／３ａをサポートするか否かを報告するように要請する指示を含むことができる。また、ＲＡＮインターフェース設定要請メッセージはＲＡＮノード２のグローバルｇＮＢ  ＩＤを含むことができる。前記ＲＡＮノード２がオプション３／３ａをサポートすることを指示する指示は、前記ＲＡＮノード２のグローバルｇＮＢ  ＩＤにより具現できる。即ち、前記ＲＡＮノード２のグローバルｇＮＢ  ＩＤは、前記ＲＡＮノード２がオプション３／３ａをサポートすることを暗黙的に指示することができる。ＲＡＮインターフェース設定要請メッセージはＸ２インターフェースの既存のメッセージまたは新たなメッセージにより具現されるか、または新たなインターフェースの新たなメッセージにより具現できる。
【００９８】
前記ＲＡＮノード２がオプション３／３ａをサポートすることを指示する指示及び／又は前記ＲＡＮノード２のグローバルｇＮＢ  ＩＤを含むＲＡＮインターフェース設定要請メッセージを受信したＲＡＮノード１は、前記ＲＡＮノード２がオプション３／３ａをサポートすることを指示する指示及び／又は前記ＲＡＮノード２のグローバルｇＮＢ  ＩＤをＵＥ特定手続きのために考慮することができる。例えば、ＲＡＮノード１は二重連結手続きまたは多重連結手続きのために前記ＲＡＮノード２がオプション３／３ａをサポートすることを指示する指示及び／又は前記ＲＡＮノード２のグローバルｇＮＢ  ＩＤを使用することができる。
【００９９】
また、ステップＳ１１２で、ＲＡＮノード１はＲＡＮインターフェース設定応答メッセージをＲＡＮノード２に送信する。前記受信したＲＡＮインターフェース設定要請メッセージがＲＡＮノード１がオプション３／３ａをサポートするか否かを報告するように要請する指示を含めば、前記ＲＡＮインターフェース設定応答メッセージは前記ＲＡＮノード１がオプション３／３ａをサポートすることを指示する指示を含むことができる。前記ＲＡＮノード１がオプション３／３ａをサポートすることを指示する指示は、前記ＲＡＮノード１の向上したｅＮＢ  ＩＤにより具現できる。前記ＲＡＮノード１の向上したｅＮＢ  ＩＤは前記ＲＡＮノード１のグローバルｅＮＢ  ＩＤでありうる。即ち、前記ＲＡＮノード１の向上したｅＮＢ  ＩＤ（または、グローバルｅＮＢ  ＩＤ）は、前記ＲＡＮノード１がオプション３／３ａをサポートすることを暗黙的に指示することができる。ＲＡＮインターフェース設定応答メッセージはＸ２インターフェースの既存のメッセージまたは新たなメッセージにより具現されるか、または新たなインターフェースの新たなメッセージにより具現できる。
【０１００】
前記ＲＡＮノード１がオプション３／３ａをサポートすることを指示する指示及び／又は前記ＲＡＮノード１の向上したｅＮＢ  ＩＤ（または、グローバルｅＮＢ  ＩＤ）を含むＲＡＮインターフェース設定応答メッセージを受信したＲＡＮノード２は、前記ＲＡＮノード１がオプション３／３ａをサポートすることを指示する指示及び／又は前記ＲＡＮノード１の向上したｅＮＢ  ＩＤ（または、グローバルｅＮＢ  ＩＤ）に基づいて適切な動作を行うことができる。例えば、前記ＲＡＮノード１がオプション３／３ａをサポートすることを指示する指示及び／又は前記ＲＡＮノード１の向上したｅＮＢ  ＩＤ（または、グローバルｅＮＢ  ＩＤ）に基づいてＲＡＮノード２はレガシーＬＴＥ二重連結手続きと区別される新たな二重連結手続きをトリガーすることができる。二重連結手続きの種類によって、ＵＥ能力、フロー−ＤＲＢマッピング規則などがＳｅＮＢ追加／修正メッセージに含まれなければならないか否かが決定できる。また、ＲＡＮノード２はＳｅＮＢ追加／修正手続き中にＰＤＵセッションに対するＱｏＳ形式を二重連結手続きの種類によって異なるように決定することができる。一方、ステップＳ１１２で受信したＲＡＮインターフェース設定応答メッセージは既存のｅＮＢ  ＩＤを含むことができるが、ＲＡＮノード２はこれを無視することができる。
【０１０１】
前述した図７または図８で説明されたＲＡＮインターフェース設定手続きはＥＮ−ＤＣ  Ｘ２設定手続きでありうる。ＥＮ−ＤＣ  Ｘ２設定手続きの目的はｅＮＢ及びｅｎ−ｇＮＢがＸ２インターフェース上で正しく相互運用されることに必要なアプリケーションレベル構成データを交換するものである。ＥＮ−ＤＣ  Ｘ２設定手続きは２つのノードの既存アプリケーションレベル構成データを消し、受信した情報に代替する。ＥＮ−ＤＣ  Ｘ２設定手続きは再設定手続きと共にＸ２インターフェースを再設定する。ＥＮ−ＤＣ  Ｘ２設定手続きは非ＵＥ−関連シグナリングを使用する。
【０１０２】
前述した図７または図８で説明されたＲＡＮインターフェース設定手続きがＥＮ−ＤＣ  Ｘ２設定手続きである場合、前述した図７でＲＡＮノード１が送信するＲＡＮインターフェース設定要請メッセージまたは前述した図８でＲＡＮノード２が送信するＲＡＮインターフェース設定要請メッセージは以下の表１で説明されるＥＮ−ＤＣ  Ｘ２設定要請メッセージでありうる。ＥＮ−ＤＣ  Ｘ２設定要請メッセージは開始Ｅ−ＵＴＲＡＮノードにより隣り合うＥ−ＵＴＲＡＮノードに送信されるメッセージであり、２つのノード全てＥＮ−ＤＣのために相互作用することができる。ＥＮ−ＤＣ  Ｘ２設定要請メッセージはＴＮＬ（ｔｒａｎｓｐｏｒｔ  ｎｅｔｗｏｒｋ  ｌａｙｅｒ）関連に対する初期化情報を伝達する。
【０１０３】
【表１】
2020504544.tif 000003
【０１０４】
表１を参照すると、ＥＮ−ＤＣ  Ｘ２設定要請メッセージはこれを送信する主体によってグローバルｅＮＢ  ＩＤ（“Ｇｌｏｂａｌ  ｅＮＢ  ＩＤ”  ＩＥ（ｉｎｆｏｒｍａｔｉｏｎ  ｅｌｅｍｅｎｔ））またはグローバルｇＮＢ  ＩＤ（“ｇｌｏｂａｌ  ｅｎ−ｇＮＢ  ＩＤ”  ＩＥ）を含むことができる。具体的に、図７の実施形態によってｅＮＢがＥＮ−ＤＣ  Ｘ２設定要請メッセージを送信する場合、ＥＮ−ＤＣ  Ｘ２設定要請メッセージはグローバルｅＮＢ  ＩＤを含むことができる。図８の実施形態に従ってｇＮＢがＥＮ−ＤＣ  Ｘ２設定要請メッセージを送信する場合、ＥＮ−ＤＣ  Ｘ２設定要請メッセージはグローバルｇＮＢ  ＩＤを含むことができる。
【０１０５】
また、前述した図７でＲＡＮノード２が送信するＲＡＮインターフェース設定応答メッセージまたは前述した図８でＲＡＮノード１が送信するＲＡＮインターフェース設定応答メッセージは、以下の表２で説明されるＥＮ−ＤＣ  Ｘ２設定応答メッセージでありうる。ＥＮ−ＤＣ  Ｘ２設定応答メッセージは隣り合うＥ−ＵＴＲＡＮノードにより開始Ｅ−ＵＴＲＡＮノードに送信されるメッセージであり、２つのノード全てＥＮ−ＤＣのために相互作用することができる。ＥＮ−ＤＣ  Ｘ２設定応答メッセージはＴＮＬ関連に対する初期化情報を伝達する。
【０１０６】
【表２】
2020504544.tif 000004
【０１０７】
表２を参照すると、ＥＮ−ＤＣ  Ｘ２設定応答メッセージはこれを送信する主体によってグローバルｅＮＢ  ＩＤ（“Ｇｌｏｂａｌ  ｅＮＢ  ＩＤ”  ＩＥ）またはグローバルｇＮＢ  ＩＤ（“ｇｌｏｂａｌ  ｅｎ−ｇＮＢ  ＩＤ”  ＩＥ）を含むことができる。具体的に、図７の実施形態に従ってｇＮＢがＥＮ−ＤＣ  Ｘ２応答メッセージを送信する場合、ＥＮ−ＤＣ  Ｘ２設定応答メッセージはグローバルｇＮＢ  ＩＤを含むことができる。図８の実施形態によってｅＮＢがＥＮ−ＤＣ  Ｘ２設定応答メッセージを送信する場合、ＥＮ−ＤＣ  Ｘ２設定応答メッセージはグローバルｅＮＢ  ＩＤを含むことができる。
【０１０８】
図９は、本発明の一実施形態に従って第１のＲＡＮノードがＸ２設定手続きを行う方法を示す。図７及び図８で説明された本発明が本実施形態に適用できる。
【０１０９】
ステップＳ１２０で、第１のＲＡＮノードは前記第１のＲＡＮノードがＥＮ−ＤＣをサポートすることを指示する第１指示を含むＸ２設定要請メッセージを第２のＲＡＮノードに送信する。前記Ｘ２設定要請メッセージはＥＮ−ＤＣ  Ｘ２設定要請メッセージでありうる。前記ＥＮ−ＤＣ  Ｘ２設定要請メッセージは前述した表１に従うことができる。ステップＳ１２２で、第１のＲＡＮノードは前記第２のＲＡＮノードが前記ＥＮ−ＤＣをサポートすることを指示する第２指示を含むＸ２設定応答メッセージを前記第２のＲＡＮノードから受信する。前記Ｘ２設定応答メッセージはＥＮ−ＤＣ  Ｘ２設定応答メッセージでありうる。前記ＥＮ−ＤＣ  Ｘ２設定応答メッセージは前述した表２に従うことができる。前記第１のＲＡＮノードは前記第２指示に基づいて前記ＥＮ−ＤＣと関連した二重連結手続きをトリガーすることができる。
【０１１０】
前記第１のＲＡＮノードはｅＮＢでありえ、前記第２のＲＡＮノードはｇＮＢでありうる。この際、前記第１指示はグローバルｅＮＢ  ＩＤに対応することができ、前記第２指示はグローバルｇＮＢ  ＩＤに対応することができる。
【０１１１】
または、前記第１のＲＡＮノードはｇＮＢでありえ、前記第２のＲＡＮノードはｅＮＢでありうる。この際、前記第１指示はグローバルｇＮＢ  ＩＤに対応することができ、前記第２指示はグローバルｅＮＢ  ＩＤに対応することができる。
【０１１２】
前述した本発明の実施形態に従って、ＮＲを含む５Ｇコアネットワーク及び５Ｇ  ＲＡＮのための新たなアーキテクチャによって、ＵＥが処理量及びＵＥ経験の面でよりよくサービスできる。また、適切な手続きと共にＭＮによりトリガーできる二重／多重連結によって、ＬＴＥ／ＮＲの堅いインターワーキングがより容易になることができる。また、ＬＴＥ／ＮＲの堅いインターワーキングによってＵＥの処理量を向上させることができる二重／多重連結が使われることができ、またＵＥ移動性のためのシグナリングが単純化できる。
【０１１３】
２．第２実施形態
【０１１４】
図１０は、本発明の更に他の実施形態に従うＲＡＮインターフェース設定手続きを示す。本実施形態で、ＲＡＮノード１はｅＮＢであり、ＲＡＮノード２はｇＮＢであると仮定する。しかしながら、これは例示に過ぎず、ＲＡＮノード１及びＲＡＮノード２はｅＮＢ、ｇＮＢ、ｎｇ−ｅＮＢ、ｅｎ−ｇＮＢのうち、いずれか一つでありうる。また、本実施形態でＲＡＮノード１とＲＡＮノード２のＲＡＮインターフェースはＸｎインターフェースであると仮定する。しかしながら、これもまた例示に過ぎず、ＲＡＮノード１とＲＡＮノード２のＲＡＮインターフェースは他の多様な名称で呼ばれることがある。本実施形態で、ＲＡＮインターフェース設定手続きはＲＡＮノード１によりトリガーされる。
【０１１５】
ＲＡＮノード１とＲＡＮノード２との間にＲＡＮインターフェースが設定される時、ＲＡＮノード１がＬＴＥ／ＮＲインターワーキングのためのオプション３／３ａアーキテクチャ及び／又はオプション４／４ａアーキテクチャ及び／又はオプション７／７ａアーキテクチャをサポートする場合、ＲＡＮノード１は対象ノードやはりＬＴＥ／ＮＲインターワーキングのためのオプション３／３ａアーキテクチャ及び／又はオプション４／４ａアーキテクチャ及び／又はオプション７／７ａアーキテクチャをサポートするか否かを知りたがることがある。対象ノードがＬＴＥ／ＮＲインターワーキングのためのオプション３／３ａアーキテクチャ及び／又はオプション４／４ａアーキテクチャ及び／又はオプション７／７ａアーキテクチャをサポートするか否かによって二重連結手続きをトリガーするメッセージが異なることができるためである。
【０１１６】
これによって、ステップＳ２００で、ＲＡＮノード１はＲＡＮインターフェース設定要請メッセージをＲＡＮノード２に送信する。ＲＡＮインターフェース設定要請メッセージはＲＡＮノード１がオプション３／３ａをサポートすることを指示する指示を含むことができる。また、ＲＡＮインターフェース設定要請メッセージは、ＲＡＮノード１がオプション４／４ａをサポートすることを指示する指示を含むことができる。また、ＲＡＮインターフェース設定要請メッセージはＲＡＮノード１がオプション７／７ａをサポートすることを指示する指示を含むことができる。また、ＲＡＮインターフェース設定要請メッセージは、ＲＡＮインターフェース設定要請メッセージの対象ノード（即ち、ＲＡＮノード２）がオプション３／３ａ及び／又はオプション４／４ａ及び／又はオプション７／７ａをサポートするか否かを報告するように要請する指示を含むことができる。また、ＲＡＮインターフェース設定要請メッセージは、ＲＡＮノード１の向上したｅＮＢ  ＩＤを含むことができる。ＲＡＮノード１の向上したｅＮＢ  ＩＤはＲＡＮノード１のグローバルｅＮＢ  ＩＤでありうる。ＲＡＮインターフェース設定要請メッセージは、Ｘｎインターフェースの既存のメッセージまたは新たなメッセージにより具現されるか、または新たなインターフェースの新たなメッセージにより具現できる。
【０１１７】
ＲＡＮインターフェース設定要請メッセージを受信したＲＡＮノード２は、前記ＲＡＮノード１がオプション３／３ａをサポートすることを指示する指示及び／又は前記ＲＡＮノード１がオプション４／４ａをサポートすることを指示する指示及び／又は前記ＲＡＮノード１がオプション７／７ａをサポートすることを指示する指示及び／又は前記ＲＡＮノード１の向上したｅＮＢ  ＩＤ（または、グローバルｅＮＢ  ＩＤ）をＵＥ特定手続きのために考慮することができる。例えば、ＲＡＮノード２は二重連結手続きまたは多重連結手続きのために前記ＲＡＮノード１がオプション３／３ａをサポートすることを指示する指示及び／又は前記ＲＡＮノード１がオプション４／４ａをサポートすることを指示する指示及び／又は前記ＲＡＮノード１がオプション７／７ａをサポートすることを指示する指示及び／又は前記ＲＡＮノード１の向上したｅＮＢ  ＩＤ（または、グローバルｅＮＢ  ＩＤ）を使用することができる。
【０１１８】
また、ステップＳ２０２で、ＲＡＮノード２はＲＡＮインターフェース設定応答メッセージをＲＡＮノード１に送信する。前記受信したＲＡＮインターフェース設定要請メッセージがＲＡＮノード２がオプション３／３ａ及び／又はオプション４／４ａ及び／又はオプション７／７ａをサポートするか否かを報告するように要請する指示を含めば、前記ＲＡＮインターフェース設定応答メッセージは前記ＲＡＮノード２がオプション３／３ａをサポートすることを指示する指示及び／又は前記ＲＡＮノード２がオプション４／４ａをサポートすることを指示する指示及び／又は前記ＲＡＮノード２がオプション７／７ａをサポートすることを指示する指示を含むことができる。また、ＲＡＮインターフェース設定応答メッセージは、前記ＲＡＮノード２のグローバルｇＮＢ  ＩＤを含むことができる。ＲＡＮインターフェース設定応答メッセージはＸｎインターフェースの既存のメッセージまたは新たなメッセージにより具現されるか、または新たなインターフェースの新たなメッセージにより具現できる。
【０１１９】
ＲＡＮインターフェース設定応答メッセージを受信したＲＡＮノード１は、前記ＲＡＮノード２がオプション３／３ａをサポートすることを指示する指示及び／又は前記ＲＡＮノード２がオプション４／４ａをサポートすることを指示する指示及び／又は前記ＲＡＮノード２がオプション７／７ａをサポートすることを指示する指示及び／又は前記ＲＡＮノード２のグローバルｇＮＢ  ＩＤに基づいて適切な動作を行うことができる。例えば、前記ＲＡＮノード２がオプション３／３ａをサポートすることを指示する指示及び／又は前記ＲＡＮノード２がオプション４／４ａをサポートすることを指示する指示及び／又は前記ＲＡＮノード２がオプション７／７ａをサポートすることを指示する指示及び／又は前記ＲＡＮノード２のグローバルｇＮＢ  ＩＤに基づいてＲＡＮノード１はレガシーＬＴＥ二重連結手続きと区別される新たな二重連結手続きをトリガーすることができる。二重連結手続きの種類によって、ＵＥ能力、フロー−ＤＲＢマッピング規則などがＳｅＮＢ追加／修正メッセージに含まれなければならないか否かが決定できる。また、ＲＡＮノード１はＳｅＮＢ追加／修正手続き中にＰＤＵセッションに対するＱｏＳ形式を二重連結手続きの種類によって異なるように決定することができる。
【０１２０】
一方、前述した実施形態で、オプション３／３ａとオプション４／４ａ／７／７ａに対して互いに異なるメッセージ集合が使われることができる。
【０１２１】
図１１は、本発明の更に他の実施形態に従うＲＡＮインターフェース設定手続きを示す。本実施形態でＲＡＮノード１はｅＮＢであり、ＲＡＮノード２はｇＮＢであると仮定する。しかしながら、これは例示に過ぎず、ＲＡＮノード１及びＲＡＮノード２はｅＮＢ、ｇＮＢ、ｎｇ−ｅＮＢ、ｅｎ−ｇＮＢのうち、いずれか一つでありうる。また、本実施形態でＲＡＮノード１とＲＡＮノード２のＲＡＮインターフェースはＸｎインターフェースであると仮定する。しかしながら、これもまた例示に過ぎず、ＲＡＮノード１とＲＡＮノード２のＲＡＮインターフェースは他の多様な名称で呼ばれることがある。本実施形態で、ＲＡＮインターフェース設定手続きはＲＡＮノード２によりトリガーされる。
【０１２２】
ＲＡＮノード１とＲＡＮノード２との間にＲＡＮインターフェースが設定される時、ＲＡＮノード２がＬＴＥ／ＮＲインターワーキングのためのオプション３／３ａアーキテクチャ及び／又はオプション４／４ａアーキテクチャ及び／又はオプション７／７ａアーキテクチャをサポートする場合、ＲＡＮノード２は対象ノードやはりＬＴＥ／ＮＲインターワーキングのためのオプション３／３ａアーキテクチャ及び／又はオプション４／４ａアーキテクチャ及び／又はオプション７／７ａアーキテクチャをサポートするか否かを知りたがることがある。対象ノードがＬＴＥ／ＮＲインターワーキングのためのオプション３／３ａアーキテクチャ及び／又はオプション４／４ａアーキテクチャ及び／又はオプション７／７ａアーキテクチャをサポートするか否かによって二重連結手続きをトリガーするメッセージが異なることができるためである。
【０１２３】
これによって、ステップＳ２１０で、ＲＡＮノード２はＲＡＮインターフェース設定要請メッセージをＲＡＮノード１に送信する。ＲＡＮインターフェース設定要請メッセージはＲＡＮノード２がオプション３／３ａをサポートすることを指示する指示を含むことができる。また、ＲＡＮインターフェース設定要請メッセージはＲＡＮノード２がオプション４／４ａをサポートすることを指示する指示を含むことができる。また、ＲＡＮインターフェース設定要請メッセージはＲＡＮノード２がオプション７／７ａをサポートすることを指示する指示を含むことができる。また、ＲＡＮインターフェース設定要請メッセージはＲＡＮインターフェース設定要請メッセージの対象ノード（即ち、ＲＡＮノード１）がオプション３／３ａ及び／又はオプション４／４ａ及び／又はオプション７／７ａをサポートするか否かを報告するように要請する指示を含むことができる。また、ＲＡＮインターフェース設定要請メッセージはＲＡＮノード２のグローバルｇＮＢ  ＩＤを含むことができる。ＲＡＮインターフェース設定要請メッセージはＸｎインターフェースの既存のメッセージまたは新たなメッセージにより具現されるか、または新たなインターフェースの新たなメッセージにより具現できる。
【０１２４】
ＲＡＮインターフェース設定要請メッセージを受信したＲＡＮノード１は、前記ＲＡＮノード２がオプション３／３ａをサポートすることを指示する指示及び／又は前記ＲＡＮノード２がオプション４／４ａをサポートすることを指示する指示及び／又は前記ＲＡＮノード２がオプション７／７ａをサポートすることを指示する指示及び／又は前記ＲＡＮノード２のグローバルｇＮＢ  ＩＤをＵＥ特定手続きのために考慮することができる。例えば、ＲＡＮノード１は二重連結手続きまたは多重連結手続きのために、前記ＲＡＮノード２がオプション３／３ａをサポートすることを指示する指示及び／又は前記ＲＡＮノード２がオプション４／４ａをサポートすることを指示する指示及び／又は前記ＲＡＮノード２がオプション７／７ａをサポートすることを指示する指示及び／又は前記ＲＡＮノード２のグローバルｇＮＢ  ＩＤを使用することができる。
【０１２５】
また、ステップＳ２１２で、ＲＡＮノード１はＲＡＮインターフェース設定応答メッセージをＲＡＮノード２に送信する。前記受信したＲＡＮインターフェース設定要請メッセージがＲＡＮノード１がオプション３／３ａ及び／又はオプション４／４ａ及び／又はオプション７／７ａをサポートするか否かを報告するように要請する指示を含めば、前記ＲＡＮインターフェース設定応答メッセージは前記ＲＡＮノード１がオプション３／３ａをサポートすることを指示する指示及び／又は前記ＲＡＮノード１がオプション４／４ａをサポートすることを指示する指示及び／又は前記ＲＡＮノード１がオプション７／７ａをサポートすることを指示する指示を含むことができる。また、ＲＡＮインターフェース設定応答メッセージは、前記ＲＡＮノード１の向上したｅＮＢ  ＩＤを含むことができる。前記ＲＡＮノード１の向上したｅＮＢ  ＩＤはグローバルｅＮＢ  ＩＤでありうる。ＲＡＮインターフェース設定応答メッセージはＸｎインターフェースの既存のメッセージまたは新たなメッセージにより具現されるか、または新たなインターフェースの新たなメッセージにより具現できる。
【０１２６】
ＲＡＮインターフェース設定応答メッセージを受信したＲＡＮノード２は、前記ＲＡＮノード１がオプション３／３ａをサポートすることを指示する指示及び／又は前記ＲＡＮノード１がオプション４／４ａをサポートすることを指示する指示及び／又は前記ＲＡＮノード１がオプション７／７ａをサポートすることを指示する指示及び／又は前記ＲＡＮノード１の向上したｅＮＢ  ＩＤ（または、グローバルｅＮＢ  ＩＤ）に基づいて適切な動作を行うことができる。例えば、前記ＲＡＮノード１がオプション３／３ａをサポートすることを指示する指示及び／又は前記ＲＡＮノード１がオプション４／４ａをサポートすることを指示する指示及び／又は前記ＲＡＮノード１がオプション７／７ａをサポートすることを指示する指示及び／又は前記ＲＡＮノード１の向上したｅＮＢ  ＩＤ（または、グローバルｅＮＢ  ＩＤ）に基づいてＲＡＮノード２はレガシーＬＴＥ二重連結手続きと区別される新たな二重連結手続きをトリガーすることができる。二重連結手続きの種類によって、ＵＥ能力、フロー−ＤＲＢマッピング規則などがＳｅＮＢ追加／修正メッセージに含まれなければならないか否かが決定できる。また、ＲＡＮノード２はＳｅＮＢ追加／修正手続き中にＰＤＵセッションに対するＱｏＳ形式を二重連結手続きの種類によって異なるように決定することができる。
【０１２７】
一方、前述した実施形態で、オプション３／３ａとオプション４／４ａ／７／７ａに対して互いに異なるメッセージ集合が使われることができる。
【０１２８】
前述した本発明の実施形態によって、ＮＲを含む５Ｇコアネットワーク及び５Ｇ  ＲＡＮのための新たなアーキテクチャによって、ＵＥが処理量及びＵＥ経験の面でよりよくサービスできる。また、適切な手続きと共にＭＮによりトリガーできる二重／多重連結によって、ＬＴＥ／ＮＲの堅いインターワーキングがより容易になることができる。また、ＬＴＥ／ＮＲの堅いインターワーキングによってＵＥの処理量を向上させることができる二重／多重連結が使われることができ、またＵＥ移動性のためのシグナリングが単純化できる。
【０１２９】
一方、本発明は多様な種類のＲＡＮノード（即ち、ｅＮＢ、ｇＮＢ、ｎｇ−ｅＮＢ、ｅｎ−ｇＮＢ）間の移動／ハンドオーバ手続きをトリガーするためにＲＡＮノードを助けることに使われることもできる。
【０１３０】
図１２は、本発明の実施形態が具現される無線通信システムを示す。
【０１３１】
ＲＡＮノード１  ８００はプロセッサ（ｐｒｏｃｅｓｓｏｒ）８１０、メモリ（ｍｅｍｏｒｙ）８２０、送受信部（ｔｒａｎｃｅｉｖｅｒ）８３０を含む。プロセッサ８１０は本明細書で説明された機能、過程、及び／又は方法を具現するように構成できる。無線インターフェースプロトコルの階層はプロセッサ８１０により具現できる。メモリ８２０はプロセッサ８１０と連結されて、プロセッサ８１０を駆動するための多様な情報を格納する。送受信部８３０はプロセッサ８１０と連結されて、無線信号を送信及び／又は受信する。
【０１３２】
ＲＡＮノード２  ９００は、プロセッサ９１０、メモリ９２０、及び送受信部９３０を含む。プロセッサ９１０は、本明細書で説明された機能、過程、及び／又は方法を具現するように構成できる。無線インターフェースプロトコルの階層はプロセッサ９１０により具現できる。メモリ９２０はプロセッサ９１０と連結されて、プロセッサ９１０を駆動するための多様な情報を格納する。送受信部９３０はプロセッサ９１０と連結されて、無線信号を送信及び／又は受信する。
【０１３３】
プロセッサ８１０、９１０はＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、及び／又はデータ処理装置を含むことができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体、及び／又は他の格納装置を含むことができる。送受信部８３０、９３０は、無線周波数信号を処理するためのベースバンド回路を含むことができる。実施形態がソフトウェアで具現される時、前述した技法は前述した機能を行うモジュール（過程、機能など）で具現できる。モジュールはメモリ８２０、９２０に格納され、プロセッサ８１０、９１０により実行できる。メモリ８２０、９２０はプロセッサ８１０、９１０の内部または外部にあることができ、よく知られた多様な手段でプロセッサ８１０、９１０と連結できる。
【０１３４】
前述した例示的なシステムで、前述した本発明の特徴によって具現できる方法は順序図に基づいて説明された。便宜上、方法は一連のステップまたはブロックで説明されたが、請求された本発明の特徴はステップまたはブロックの順序に限定されるものではなく、あるステップは他のステップと前述したことと異なる順序で、または同時に発生することができる。また、当業者であれば、順序図に示したステップが排他的でなく、他のステップが含まれるか、または順序図の一つまたはその以上のステップが本発明の範囲に影響を及ぼさず、削除できることを理解することができる。
【図１】
2020504544.tif 000005
【図２】
2020504544.tif 000006
【図３】
2020504544.tif 000007
【図４】
2020504544.tif 000008
【図５】
2020504544.tif 000009
【図６】
2020504544.tif 000010
【図７】
2020504544.tif 000011
【図８】
2020504544.tif 000012
【図９】
2020504544.tif 000013
【図１０】
2020504544.tif 000014
【図１１】
2020504544.tif 000015
【図１２】
2020504544.tif 000016
【国際調査報告】
2020504544.tif 000017
2020504544.tif 000018
2020504544.tif 000019
2020504544.tif 000020